(57)【特許請求の範囲】
【請求項１】
クリーンルームや間仕切り等を構成するパネルの接合構造において、パネルは補強材を枠組した枠体にペーパーコア等を充填材として収容し、両面には表面材を貼着してなり、パネル側部の縦補強材にはパネル中立面に対して対称に断面が概略Ｌ型をしたジョイント部を形成し、両ジョイント部の間に形成した空間には位置決めバーを嵌合すると共に、隣り合うパネルの片側ジョイント部にて気密材を挟み込み、片側の目地空間には断面コ型の目地材を嵌合し、目地材の脚先端をジョイント部に係止して連結したことを特徴とする間仕切りパネル等の接合構造。
【請求項２】
パネル面に貼着した表面材の縁を縦補強材の外側面まで延ばし、コーナー部において縦補強材との間に隙間を残した請求項１記載の間仕切りパネル等の接合構造。
【発明の詳細な説明】
【０００１】
【発明の属する技術分野】
本発明は間仕切りパネルの接合構造、特にクリーンルームを構成する場合に、パネル間の気密性を高める接合構造に関するものである。
【０００２】
【従来の技術】
図３は従来のクリーンルームにおけるパネル連結構造を示した具体例である。パネル１、１は床レール２に配置されたアジャスター装置３に支えられて起立し、天井にはパネルガイド４と笠木５が取り付けられている。そして、隣り合うパネル１、１間にはスタッド６が介在しており、パネル１、１の側端はスタッド６にネジ止めされている。又壁面にはエンドレール７が取り付けられていてパネル１との空間を塞いでいる。
【０００３】
間仕切りとしての基本構造は同じであるが、クリーンルームを構成する場合には、気密性を確保する為に隣り合うパネル間の隙間にはシリコン８が詰められてシーリングされている。同じく壁面とエンドレール７の境界、床レール２と床面、パネル下端と巾木９、天井面と笠木５、それに笠木５の下端とパネル１間にもシリコン８、８…が設けられて隙間防止が図られている。
【０００４】
このように従来のパネル間のシール構造にはシリコン等が使用されているが、パネルを据え付けした後での別作業として行われる為に施工工数がかさんで面倒であると共に、パネル間の目地空間にシリコンを充填することで目地部の外観が損なわれることが多い。それに半導体や液晶業界ではクリーンルームの気密対策として、シリコン等のコーキング材を使用することでシロキサンの問題がある。
【０００５】
【本発明が解決しようとする課題】
この様に従来のクリーンルーム等のパネル連結部の気密構造には上記のごとき問題がある。本発明が解決しようとする課題はこれら問題点であり、コーキング材を使用しないで、より簡単な施工にてなし得る気密機能をもたせたパネル接合構造を提供する。
【０００６】
【課題を解決するための手段】
本発明のパネル接合構造は間にスタッドを設けることなく隣り合うパネルを連結し、しかもシリコン等のコーキング材を使用しない接合構造としている。パネルの両側及び上下には枠組された補強材を有し、該枠体内にはペーパーコア等の充填材を収容すると共に両面には表面材を貼り合わせしている。そして両側に設けている補強材の外側面には概略Ｌ型断面をしたジョイント部が対を成して形成されている。
【０００７】
Ｌ型を成した上記ジョイント部はパネル中立面に対して対称を成し、隣り合うパネルはジョイント部にて気密材を挟み込んで接合する。そして両パネルの目地空間には概略コ型断面を成した目地材が嵌合し、目地材の脚がジョイント部に係止して取り付けされる。
【０００８】
【発明の実施の形態】
本発明ではパネル側端の補強材に形成したジョイント部にて気密材を挟み込み、目地空間に目地材を嵌合することでジョイント部に係止する。気密材はゴム質等で板状の弾性体が使用されて、コ型断面をした目地材が目地空間に嵌ることで両ジョイント部を挟み込んで間の気密材との間には隙間を無くす。一般に、接合する両パネルの間には両面側から目地材が嵌合して繋ぎ合わされることになるが、片側からの施工が出来ない場合には、目地材は片面側のみとなる。従って、この場合に気密材が位置ズレしてジョイント部から外れないように、両パネル間でジョイント部の間に形成している空間に位置決めバー材を嵌め込む。
【０００９】
一方、両パネル間の気密性をより高める為に目地材の脚長さを短くし、目地空間に嵌めた際にパネル表面との間には窪みが形成され、この窪み空間にコーキング材を詰めることもある。ここで、パネル下端の支持構造並びに上端における天井との繋ぎ構造は特に限定しない。以下、本発明に係る実施例を図面に基づいて詳細に説明する。
【００１０】
【実施例】
図１（ａ）、（ｂ）は本発明のパネル接合構造を表している実施例であり、クリーンルームの横断面と縦断面を示している。本発明ではパネル１１の支持構造並びにパネル上端と天井との繋ぎ構造は限定しない。同図に示すパネル１１は床面に敷設されている床レール１２にセットしたアジャスター装置１３に載って支えられている。パネル下端の下補強材１４下面には凹部が形成され、この凹部にアジャスター装置１３のネジ１５が嵌り、又床レール１２の側片１６、１６の先端はパネル表面に当接している。そして、側片先端には気密ゴム１７が取り付けされていて、パネル表面との隙間を無くしている。
【００１１】
同じく、天井には天井レール１８が取り付けされ、天井レール１８の両側片１９、１９の先端はパネル面に接すると共に、先端に取り付けしている気密ゴム１７によって隙間を無くしている。又このパネルには中央にガラス２０が嵌められ、取り付け桟との間にはシールがなされて気密性が保たれている。勿論、ガラス窓のないパネルであっても同じように据え付けされる。
【００１２】
ところで、隣り合うパネル１１、１１は間にスタッドを介在することなく連結されるが、図２（ａ）〜（ｃ）は本発明のパネル接合構造を示している実施例である。パネル１１は外周に枠体を有し、その枠体内部にはペーパーコア２１を収容し、両面には表面材２２、２２を貼り合わせている。表面材２２の縁は屈曲して縦補強材２３の外側面まで延びていて、コーナーには縦補強材２３との間に隙間が残されている。そして枠体の側部に設けている縦補強材２３の外側にはＬ型断面をしたジョイント部２４、２４がパネル中立面に対して対称に、しかも対向して形成され、ジョイント部２４、２４の間には空間２５を設けている。
【００１３】
隣り合うパネル１１、１１を連結する場合には、間に気密材２６を介在し、両パネル１１、１１のジョイント部２４、２４…にて上記気密材２６は挟み込まれ、その状態で目地材２７が両パネル間に残される目地空間２８に嵌合している。目地材２７は概略コ型断面を成して両脚２９、２９を有し、この脚２９、２９がジョイント部２４、２４に係止している。表面材２２のコーナーが縦補強材２３との間に隙間を残していることでバネ性があり、目地材２７の両脚２９、２９を両側から押圧するバネ力として作用する。
【００１４】
脚２９、２９の先端がＬ型に屈曲したジョイント部２４、２４の外側に嵌って挟み込み、両パネル１１、１１を連結することになる。この場合、目地材２７の両脚２９、２９によってジョイント部２４、２４が挟み込まれ、しかも表面材２２のコーナーに当たってバネ力が作用し、ジョイント２４、２４間に介在している気密材２６に隙間なく当接する。本発明ではパネル間にスタッドを設けておらず、両パネル１１、１１の間に気密材２６を挟んで目地材２７、２７を両面側から目地空間２８、２８に嵌合するだけでパネル１１、１１の連結がなされ、同時に気密性が確保される。
【００１５】
（ｂ）に示す実施例はパネルの一方側からしか作業が行われない場合のパネル接合構造であり、両パネル１１、１１を間に気密材３０を介在したところで、上記実施例と同じようにコ型の目地材２７を嵌合する。この場合、両ジョイント部２４、２４の間に形成している空間２５、２５には位置決めバー３１が嵌ってパネル１１、１１を位置決めすると共に、気密材３０の位置決めがなされる。
【００１６】
（ｃ）に示す実施例は前記（ａ）の場合と同じような構造であるが、目地材２７の脚２９の長さを短くし、従ってパネル面との間には窪みが形成され、この窪みにシリコンが詰められている。従って、気密材２６とシリコンの２重構造にて気密性を向上させている。以上述べたように、本発明のパネル接合構造は間にスタッドを介在することなく、縦補強材を目地材にて繋ぐと共に、縦補強材の間には気密材を入れたものであり、次のような効果を得ることが出来る。
【００１７】
【発明の効果】
本発明のパネル接合構造はパネル側端に設けている縦補強材にジョイント部を形成し、このジョイント部同士を突き合わせた状態でコ型断面の目地材を両パネル間の目地空間に嵌めてジョイント部に係止することで繋がれる。従ってスタッドを用いないでパネルを連結することが出来、据え付け作業が省力化すると共に、製作コストも安くなる。そして両ジョイント部の間に気密材を挟み込むことで気密効果が得られ、従来のシリコン等をコーキングする場合に比較して施工が簡単である。勿論、施工期間は短くなり、解体する場合も容易である。一方、コーキング材を使用しないことで半導体や液晶業界におけるシロキサン問題は解消出来る。
【図面の簡単な説明】
【図１】本発明の接合構造を備えたクリーンルームの縦断面と横断面。
【図２】本発明のパネル接合構造を表す実施例。
【図３】従来のクリーンルームの縦断面と横断面。
【符号の説明】
11  パネル
12  床レール
13  アジャスター装置
14  下補強材
15  ネジ
16  側片
17  気密ゴム
18  天井レール
19  側片
20  ガラス
21  ペーパーコア
22  表面材
23  縦補強材
24  ジョイント部
25  空間
26  気密材
27  目地材
28  目地空間
29  脚
30  気密材
31  位置決めバー
【図１】
0003978843.tif 000002
【図２】
0003978843.tif 000003
【図３】
0003978843.tif 000004